(57)【要約】【課題】  パネルによりツル科植物の育成用壁面を形成するための装置を提供する。【解決手段】  貫設された多数の透孔を介してツル科植物のツルを沿わしめる育成用壁面を正面に形成したパネル体と、該パネル体の下端部に取付けられた脚体とから成る据置き壁体を構成しており、前記脚体は、床面に接地される接地座と、該接地座をパネル体の下端部に連結する連結部とを備え、該連結部は、正面の育成用壁面が上向き傾斜するようにパネル体を鉛直線に対して所定角度θを有して傾斜した姿勢で保持するように構成されており、接地座を床面に接地した状態で、脚体によりパネル体を傾斜姿勢で自己起立保持せしめると共に、パネル体の背面に下向き傾斜するプランタ取付面を形成する構成とされている。【選択図】  図１
2005124437.tif 000002
【特許請求の範囲】
【請求項１】
貫設された多数の透孔を介してツル科植物のツルを沿わしめる育成用壁面を正面に形成したパネル体と、該パネル体の下端部に取付けられた脚体とから成る据置き壁体を構成しており、
前記脚体は、床面に接地される接地座と、該接地座をパネル体の下端部に連結する連結部とを備え、該連結部は、正面の育成用壁面が上向き傾斜するようにパネル体を鉛直線に対して所定角度θを有して傾斜した姿勢で保持するように構成されており、
接地座を床面に接地した状態で、脚体によりパネル体を傾斜姿勢で自己起立保持せしめると共に、パネル体の背面に下向き傾斜するプランタ取付面を形成して成ることを特徴とするツル科植物育成装置。
【請求項２】
請求項１に記載の据置き壁体の複数と、該据置き壁体の上部に連設される延長壁体の複数とから構成されており、
据置き壁体は、矩形状に形成されたパネル体の周囲を囲繞する枠フレームを備え、該枠フレームの左右側部フレームに側部連結手段を設けると共に、上部フレームに上部連結手段を設けており、
延長壁体は、多数の透孔を有する矩形状のパネル体の周囲を囲繞すると共に据置き壁体と同幅寸法に形成された枠フレームを備え、該枠フレームの左右側部フレームに側部連結手段を設けると共に、下部フレームに下部連結手段を設けており、
上下方向に関して、据置き壁体の上部フレームに延長壁体の下部フレームを重ねた状態で、相互にそれぞれの上部連結手段と下部連結手段を介して固着し、
左右方向に関して、隣り合う一対の据置き壁体の側部フレームを重ねた状態で、相互にそれぞれの側部連結手段を介して固着すると共に、隣り合う一対の延長壁体の側部フレームを重ねた状態で、相互にそれぞれの側部連結手段を介して固着することにより、延長拡大された育成用壁面及びプランタ取付面を形成して成ることを特徴とするツル科植物育成装置。
【請求項３】
請求項１に記載の据置き壁体の複数と、該据置き壁体の上部に配置される頂部壁体と、該据置き壁体の側部に配置される端部壁体とから構成されており、
据置き壁体は、矩形状に形成されたパネル体の周囲を囲繞する枠フレームを備え、該枠フレームの左右側部フレームに側部連結手段を設けると共に、上部フレームに上部連結手段を設けており、
頂部壁体は、多数の透孔を有する矩形状のパネル体の両側縁に頂部連結手段を設けており、
端部壁体は、多数の透孔を有する下向き末広がり状のパネル体の両側縁に端部連結手段を設けており、
一対の据置き壁体を相互に背面を対向せしめた状態で配置し、この一対の据置き壁体の上部フレームの間に頂部壁体を架設し、頂部壁体の頂部連結手段とそれぞれの据置き壁体の上部フレームの上部連結手段を介して固着することにより、断面ほぼ台形状のプランタ用空間を形成し、
プランタ用空間の両端を端部壁体により閉蓋し、端部壁体の端部連結手段とそれぞれの据置き壁体の側部フレームの側部連結手段を介して固着することにより、籠状のブロック壁を形成して成ることを特徴とするツル科植物育成装置。
【発明の詳細な説明】
【技術分野】
【０００１】
本発明は、パネルによりツル科植物の育成用壁面を形成するための装置、即ち、ツル科植物育成装置に関する。
【背景技術】
【０００２】
近年、ヒートアイランド現象等の対策から、野外、屋外における種々の場所での緑化が推奨されている。このような要望に応えるため、本発明者においては、多種多様の植樹安定装置を提供し、建造物の地上及び屋上における樹木の植樹による緑化事業のために貢献している。
【０００３】
ところで、昨今、緑化の要望は、樹木を植樹することが困難な場所、例えば、建造物の外壁面や、立体駐車場その他の駐車場の外部空間、ビルの屋上駐車場等にも及んでいる。そこで、このような場合、所定の壁面に沿わせてツル科植物を繁殖させることにより、緑化の目的を達することができ、しかも、これが外部空間のオブジェとしての役割を果たすことができる。
【０００４】
このため、本発明者は、建造物その他の構築物の壁部又は柱部から成る構造物に沿わせてツル科植物育成用のパネルを列設することにより育成用壁面を形成すれば、ツタが該パネルに容易に沿わせられるので、ツル科植物を好適に成長せしめ、比較的短期の繁殖に資することができることを知見し、特願２００３−２００９９７号、特願２００３−２００９９８号、特願２００３−２００９９９号として提案した。
【０００５】
尚、ツル科植物をパネルに移植ための植栽ユニットが提案されている。
【特許文献１】特開２００３−２５０３３３号公報
【発明の開示】
【発明が解決しようとする課題】
【０００６】
ツル科植物を育成用壁面に沿わせて繁殖させる育成装置を提供する場合、展開された広域面による育成用壁面を形成するために多数のパネル体を連結することは、必ずしも容易でない。このため、複数の作業者が協力しながらパネル体を保持しつつ連結しているのが現状であり、コスト高を招来するという問題がある。
【０００７】
また、通常、ツル科植物の苗は、床面に設置された土床に植栽され、パネル体の下から上に向けて成長せしめられるため、背の高いパネル体の全面にわたりツル科植物を繁らせるまでに長期間を要する。この点に関して、パネル体の上下方向中途部にプランタを宙吊り状態に取付け、該プランタからツル科植物を成長せしめれば、早期に全面にわたる繁殖が可能になるが、従来のパネル体は、鉛直方向に直立しているため、プランタの取付けが容易でなく、しかも、パネル体の正面にプランタが露出することは見栄えが良くない。
【０００８】
更に、従来のパネル体は、主として正面側にだけツル科植物の葉を繁殖させるように構成されており、設置場所が限られるという問題がある。
【課題を解決するための手段】
【０００９】
本発明は、上述のような課題を解決したツル科植物育成装置を提供するものであり、その第一の手段として構成したところは、貫設された多数の透孔を介してツル科植物のツルを沿わしめる育成用壁面を正面に形成したパネル体と、該パネル体の下端部に取付けられた脚体とから成る据置き壁体を構成しており、前記脚体は、床面に接地される接地座と、該接地座をパネル体の下端部に連結する連結部とを備え、該連結部は、正面の育成用壁面が上向き傾斜するようにパネル体を鉛直線に対して所定角度θを有して傾斜した姿勢で保持するように構成されており、接地座を床面に接地した状態で、脚体によりパネル体を傾斜姿勢で自己起立保持せしめると共に、パネル体の背面に下向き傾斜するプランタ取付面を形成して成る点にある。
【００１０】
また、本発明が第二の手段として構成したところは、前記第一の手段において構成した据置き壁体の複数と、該据置き壁体の上部に連設される延長壁体の複数とから構成されており、据置き壁体は、矩形状に形成されたパネル体の周囲を囲繞する枠フレームを備え、該枠フレームの左右側部フレームに側部連結手段を設けると共に、上部フレームに上部連結手段を設けており、延長壁体は、多数の透孔を有する矩形状のパネル体の周囲を囲繞すると共に据置き壁体と同幅寸法に形成された枠フレームを備え、該枠フレームの左右側部フレームに側部連結手段を設けると共に、下部フレームに下部連結手段を設けており、上下方向に関して、据置き壁体の上部フレームに延長壁体の下部フレームを重ねた状態で、相互にそれぞれの上部連結手段と下部連結手段を介して固着し、左右方向に関して、隣り合う一対の据置き壁体の側部フレームを重ねた状態で、相互にそれぞれの側部連結手段を介して固着すると共に、隣り合う一対の延長壁体の側部フレームを重ねた状態で、相互にそれぞれの側部連結手段を介して固着することにより、延長拡大された育成用壁面及びプランタ取付面を形成して成る点にある。
【００１１】
更に、本発明が第三の手段として構成したところは、前記第一の手段において構成した据置き壁体の複数と、該据置き壁体の上部に配置される頂部壁体と、該据置き壁体の側部に配置される端部壁体とから構成されており、据置き壁体は、矩形状に形成されたパネル体の周囲を囲繞する枠フレームを備え、該枠フレームの左右側部フレームに側部連結手段を設けると共に、上部フレームに上部連結手段を設けており、頂部壁体は、多数の透孔を有する矩形状のパネル体の両側縁に頂部連結手段を設けており、端部壁体は、多数の透孔を有する下向き末広がり状のパネル体の両側縁に端部連結手段を設けており、一対の据置き壁体を相互に背面を対向せしめた状態で配置し、この一対の据置き壁体の上部フレームの間に頂部壁体を架設し、頂部壁体の頂部連結手段とそれぞれの据置き壁体の上部フレームの上部連結手段を介して固着することにより、断面ほぼ台形状のプランタ用空間を形成し、プランタ用空間の両端を端部壁体により閉蓋し、端部壁体の端部連結手段とそれぞれの据置き壁体の側部フレームの側部連結手段を介して固着することにより、籠状のブロック壁を形成して成る点にある。
【発明の効果】
【００１２】
請求項１に記載の本発明によれば、据置き壁体は、接地座を床面に接地した状態で、脚体によりパネル体を傾斜姿勢で自己起立保持されるので、適所に対する設置を容易に行うことができ、従来のように複数作業者による協力が必要としないので、例えば、一人の作業者によっても容易に設置作業を行うことができる。
【００１３】
そして、自己起立保持されたパネル体の背面には、下向き傾斜するプランタ取付面が形成されているので、パネル体の上下方向中途部にプランタを宙吊り状態に取付けることにより、該プランタからツル科植物を成長せしめれば、パネル体の全面にわたる繁殖を早期に可能とすることができ、しかも、プランタがパネル体の背面に位置し、正面からは視認されないので見栄えが良い。この際、繁殖後、育成用壁面は、ほぼ全面をツル科植物の葉により被われるが、葉に付着した雨水は、鉛直方向に落下するので、滴下する雨水が傾斜角度θに応じて下方に位置するプランタにより好適に受止められる。
【００１４】
また、請求項２に記載の本発明によれば、据置き壁体を自己起立保持せしめた状態で、左右方向に関しては、隣り合う一対の据置き壁体の側部フレームを重ねた状態で、相互にそれぞれの側部連結手段を介して固着し、上下方向に関しては、据置き壁体の上部フレームに延長壁体の下部フレームを重ねた状態で、相互にそれぞれの上部連結手段と下部連結手段を介して固着する構成であるから、複数の据置き壁体と延長壁体を連結により展開することにより、延長拡大された育成用壁面及びプランタ取付面を容易に構築することができ、少人数の作業者により展開された広域面による育成用壁面を容易に構築できるという効果がある。
【００１５】
そして、この場合も、パネル体の上下方向中途部にプランタを宙吊り状態に取付けることにより、広域面による育成壁面の全面にわたり繁殖を早期に可能とすることができ、しかも、プランタが正面からは視認されないので見栄えが良い。
【００１６】
更に、請求項３に記載の本発明によれば、相互に背面を対向せしめた状態で配置された一対の据置き壁体に対して、該据置き壁体の上部フレームの間に頂部壁体を架設し、頂部壁体の頂部連結手段とそれぞれの据置き壁体の上部フレームの上部連結手段を介して固着することにより、断面ほぼ台形状のプランタ用空間を形成する構成であるから、プランタ用空間の内部にプランタを設置することにより、正面と背面の両面に形成された育成用壁面に対してツル科植物の葉を繁殖させることが可能になり、プランタ用空間の両端を端部壁体により閉蓋するとにより、籠状のブロック壁を形成するものであるから、それ自体を構築壁等として利用できる効果がある。
【００１７】
そして、この場合も、据置き壁体は、接地座を床面に接地した状態で、脚体によりパネル体を傾斜姿勢で自己起立保持されるので、少人数の作業者により籠状のブロック壁を容易に構築できるという効果がある。
【発明を実施するための最良の形態】
【００１８】
以下図面に基づいて本発明の好ましい実施形態を詳述する。
【００１９】
（据置き壁体の構成）
図１は、据置き壁体１を示しており、据置き壁体１は、貫設された多数の透孔２ａを介してツル科植物のツルを沿わしめる育成用壁面２を正面に形成したパネル体３と、該パネル体３の下端部に取付けられた脚体４とを備えている。
【００２０】
図例の場合、パネル体３は、格子状に配置された線材から構成されているが、シート状体に多数の孔を穿孔したものでも良く、矩形状に形成されたパネル体３の周囲を囲繞する枠フレーム５を備えている。枠フレーム５は、左右の側部フレーム５ａ、５ｂのそれぞれにボルト孔等から成る側部連結手段６を設け、上部フレーム５ｃにボルト孔等から成る上部連結手段７を設けており、下部フレーム５ｄにもボルト孔等からなる下部連結手段４ａを設けている。
【００２１】
前記脚体４は、床面に接地される接地座８と、該接地座８をパネル体３の下部フレーム５ｄに連結固着するための連結部９とを備え、該連結部９の上部にボルト孔等から成る着脱連結手段４ｂを設けている。従って、着脱連結手段４ｂを前記下部フレーム５ｄの下部連結手段４ａに合致せしめた状態で、ボルト・ナット等の連結具４ｃを介して脚体４が下部フレーム５ｄに着脱自在に固着され、接地座８を床面に設置した状態で、前記連結部９を介して、正面の育成用壁面２が上向き傾斜するようにパネル体３を鉛直線Ｖに対して所定角度θを有して傾斜した姿勢で保持するように構成されている。即ち、据置き壁体１は、接地座８を床面に接地した状態で、脚体４によりパネル体３を傾斜姿勢で自己起立保持せしめ、パネル体３の背面に下向き傾斜するプランタ取付面１０を形成する。
【００２２】
脚体４の接地座８は、アンカー挿着用の固着孔８ａを設けており、床面に接地せしめられた状態で、該固着孔８ａを介してアンカーボルト等により固定することができる。脚体４の連結部９は、パネル体３の左右の側部フレーム５ａ、５ｂの延長線上に位置して設けられ、該延長線に対して左右対称となるように連結孔９ａを設けており、後述するように育成用壁面２を展開するために接続される複数の据置き壁体１、１を該連結孔９ａを介して相互に連結せしめられる。
【００２３】
プランタ１１は、従来公知のものを使用できるが、フック片等の吊持手段１２を設けており、プランタ取付面１０からパネル本体３の透孔２ａに係脱自在に係止される。
【００２４】
このように構成された据置き壁体１は、それのみで使用可能であり、正面に育成用壁面２を構成する。この際、前述のように据置き壁体１は、脚体４を介して、所定角度θを有する傾斜姿勢で自己起立保持せしめられるので、作業者は、簡単に据置き壁体１を所望の床面に設置し、接地座８の固着孔８ａを介してアンカーボルト等により床面に固定せしめることができる。
【００２５】
そして、設置された据置き壁体１の背面には下向き傾斜するプランタ取付面１０が形成されているので、ツル科植物の苗を植栽したプランタ１１を該取付面１０に吊持せしめることにより、ツル科植物を透孔２ａを介して正面の育成用壁面２に繁殖させることができる。
【００２６】
図２は、育成用壁面２を延長展開せしめるため、複数の据置き壁体１、１を左右に連設する場合の連結方法を示している。図２（Ａ）に示すように、隣り合う据置き壁体１、１は、それぞれの側部フレーム５ａ、５ｂの相互に重ね合わせられる側面に対して、脚体４の連結部９に左右対称位置となるように連結孔９ａを配置している。従って、図２（Ｂ）に示すように、隣り合う据置き壁体１、１の側部フレーム５ａ、５ｂの対向面を相互に重ね合わせると、前後に重ね合わせられた一対の連結部９、９の間において連結孔９ａが合致されるので、ボルト・ナット１３により固着することが可能になる。
【００２７】
また、この際、隣り合う据置き壁体１、１の相互において左右に重ね合わせられた側部フレーム５ａ、５ｂの側部連結手段６、６を構成する孔が合致するので、ボルト・ナット１４により固着することが可能になる。
【００２８】
このようにして据置き壁体１の複数を連結することにより同一線上に延長せしめ育成用壁面２を展開することができる。
【００２９】
（広域面による育成壁面）
図３は、前述の据置き壁体１の複数と、該据置き壁体１の上部に連設される延長壁体１５の複数を連結することにより、上下左右に展開状に拡大された広域面による育成用壁面２ｅを形成した実施形態を示している。
【００３０】
図４に示すように、据置き壁体１は、図１に示した構成と同様である。これに対して、延長壁体１５は、据置き壁体１のパネル体３と同一の構成である。即ち、据置き壁体１から脚体４、４を取り外したパネル体３が共通部品として延長壁体１５を構成し使用されるものである。従って、延長壁体１５の構成は、上述したパネル体３の説明がそのまま該当するが、説明の便宜上、図面に独自の符号を付して説明する。
【００３１】
延長壁体１５は、格子状に配置された線材から成る多数の透孔を有する矩形状のパネル体１６の周囲を囲繞する枠フレーム１７を備え、枠フレーム１７の幅寸法は、据置き壁体１の枠フレーム５の幅寸法と同一寸法に形成されている。枠フレーム１７は、左右の側部フレーム１７ａ、１７ｂにボルト孔等から成る側部連結手段１８を設けると共に、下部フレーム１７ｄにボルト孔等から成る下部連結手段１９を設けており、更に、上部フレーム５ｃにもボルト孔等から成る上部連結手段２０を設け、複数の延長壁体１５を更に上下に連設可能な構成としている。
【００３２】
そこで、上下方向に関して、据置き壁体１の上部フレーム５ｃに延長壁体１６の下部フレーム１７ｄを重ねた状態で、相互にそれぞれの上部連結手段７と下部連結手段１９の孔が合致するので、ボルト・ナット等の連結具により固着することができる。そして、左右方向に関して、隣り合う一対の据置き壁体１、１は、図２に示したように連結される。また、隣り合う一対の延長壁体１６、１６は、側部フレーム１７ａと１７ｂを重ねた状態で、相互にそれぞれの側部連結手段１８の孔が合致するので、ボルト・ナット等の連結具により固着することができ、これにより延長拡大された育成用壁面２ｅ及びプランタ取付面１０ｅが形成される。
【００３３】
このような広域面による育成用壁面２ｅ及びプランタ取付面１０ｅは、例えば、図３に示すように既設の建築物又は構築物の壁面に沿って構築され、据置き壁体１から上部の延長壁体１５に向けて傾斜角度θにより下向きとされたプランタ取付面１０ｅを形成しているので、ツル科植物の苗を植栽したプランタ１１を該取付面１０ｅに吊持せしめることにより、ツル科植物を正面の育成用壁面２ｅに繁殖させることができる。尚、繁殖後、育成用壁面２ｅは、ほぼ全面をツル科植物の葉により被われるが、葉に付着した雨水は、鉛直方向に落下するので、滴下する雨水が傾斜角度θに応じて下方に位置するプランタ１１により好適に受止められる。
【００３４】
（籠状のブロック壁による育成壁面）
図５は、前述の据置き壁体１の複数と、頂部壁体２１と、端部壁体２２により、籠状のブロック壁２３の正面と背面の両面に拡大された広域面による育成用壁面２ｅを形成した実施形態を示している。
【００３５】
図６に示すように、据置き壁体１は、図１に示した構成と同様であり、一対の据置き壁体１、１を相互に背面を対向せしめた状態で配置される。これに対して、頂部壁体２１は、格子状に配置された線材から成る多数の透孔を有する矩形状のパネル体２４の両側縁にボルト孔等から成る頂部連結手段２５を設けており、背あわせ状に配置された一対の据置き壁体１、１の上部フレーム５ｃ、５ｃの間に頂部壁体２１を架設すると、頂部壁体２１の頂部連結手段２５とそれぞれの据置き壁体１の上部フレーム５ｃの上部連結手段７の孔が合致されるので、ボルト・ナット等の連結具により固着することができ、これにより断面ほぼ台形状のプランタ用空間Ｓが形成される。
【００３６】
左右方向に関して、隣り合う一対の据置き壁体１、１は、図２に示したように連結されるので、それぞれの上部に頂部壁体２１を架設し固着することにより、図５に示すような長い台形状の壁体が構築される。この際、図３及び図４のように、据置き壁体１の上に延長壁体１６を連設することにより、壁体を背が高くなるように構成しても良い。
【００３７】
端部壁体２２は、格子状に配置された線材から成る多数の透孔を有する下向き末広がり状のパネル体２６の左右両側に側部フレーム２７を設けており、該側部フレーム２７にボルト孔等から成る端部連結手段２８を設けている。端部壁体２２は、前述のようにして構築されたプランタ用空間Ｓの両端を閉蓋する。端部壁体２２の側部フレーム２７、２７を背あわせ状に配置された据置き壁体１、１の側部フレーム５ａ、５ｂに重ね合わせると、端部連結手段２８と側部連結手段６を構成する孔が合致するので、ボルト・ナット等の連結具により固着することができる。
【００３８】
このような籠状のブロック壁２３は、例えば、図３に示すようにビルの屋上等において防護壁に沿って構築され、内部のプランタ用空間Ｓにおいて、ツル科植物の苗を植栽したプランタ１１をプランタ取付面に吊持せしめることにより、ツル科植物を育成用壁面２ｅに繁殖させることができる。尚、繁殖後、頂部壁体２１を含む育成用壁面２ｅは、ほぼ全面をツル科植物の葉により被われるが、葉に付着した雨水は、鉛直方向に落下するので、滴下する雨水が傾斜角度θに応じて下方に位置するプランタ１１により好適に受止められる。
【図面の簡単な説明】
【００３９】
【図１】本発明のツル科植物育成装置を構成する据置き壁体の１実施形態を示しており、（Ａ）は正面側を示す斜視図、（Ｂ）はプランタと共に背面側を示す斜視図である。
【図２】据置き壁体における脚体の連結部を示しており、（Ａ）は連結前の状態を示す正面図、（Ｂ）は連結状態を示す正面図である。
【図３】据置き壁体と延長壁体により広域面を成す育成用壁面を構築した実施形態を示す斜視図である。
【図４】据置き壁体と延長壁体の関係を示す斜視図である。
【図５】据置き壁体と頂部壁体と端部壁体により籠状のブロック壁による育成壁面を構築した実施形態を示す斜視図である。
【図６】据置き壁体と頂部壁体と端部壁体の関係を示す斜視図である。
【符号の説明】
【００４０】
１    据置き壁体
２、２ｅ  育成用壁面
３    パネル体
４    脚体
４ａ  下部連結手段
４ｂ  着脱連結手段
４ｃ  連結具
５    枠フレーム
５ａ、５ｂ  側部フレーム
５ｃ  上部フレーム
５ｄ  下部フレーム
６    側部連結手段
７    上部連結手段
８    接地座
９    連結部
１０、１０ｅ  プランタ取付面
１１    プランタ
１５    延長壁体
１６    パネル体
１７    枠フレーム
１７ａ、１７ｂ  側部フレーム
１７ｃ  上部フレーム
１７ｄ  下部フレーム
１８    側部連結手段
１９    下部連結手段
２０    上部連結手段
２１    頂部壁体
２２    端部壁体
２３    籠状のブロック壁
２４    パネル体
２５    頂部連結手段
２６    パネル体
２８    端部連結手段
【図１】
2005124437.tif 000003
【図２】
2005124437.tif 000004
【図３】
2005124437.tif 000005
【図４】
2005124437.tif 000006
【図５】
2005124437.tif 000007
【図６】
2005124437.tif 000008